【手続補正書】
【提出日】平成16年8月30日(2004.8.30)
【手続補正１】
【補正対象書類名】明細書
【補正対象項目名】発明の名称
【補正方法】変更
【補正の内容】
【発明の名称】画像サイズ変換装置、画像サイズ変換方法、プログラム、及び記憶媒体
【手続補正２】
【補正対象書類名】明細書
【補正対象項目名】特許請求の範囲
【補正方法】変更
【補正の内容】
【特許請求の範囲】
【請求項１】
公衆網を介してデータ転送を行う回線接続装置と通信可能な画像サイズ変換装置であって、
前記回線接続装置から当該回線接続装置が備える画像表示手段の画像表示能力を示す属性情報を受信する受信手段と、
画像データを前記受信手段で受信した前記属性情報に応じた画像サイズに変換する画像サイズ変換手段と、
前記画像サイズ変換手段で画像サイズ変換された画像データを前記回線接続装置に送信する送信手段とを有することを特徴とする画像サイズ変換装置。
【請求項２】
前記回線接続装置の前記属性情報とは、前記回線接続装置が備える前記画像表示手段の表示画面サイズ、解像度、表示可能画素数を含む情報であることを特徴とする請求項１記載の画像サイズ変換装置。
【請求項３】
前記画像サイズ変換手段は、前記回線接続装置が備える前記画像表示手段の表示画面サイズが所定の表示画面サイズより小さい場合に、前記画像サイズ変換を行うことを特徴とする請求項１記載の画像サイズ変換装置。
【請求項４】
前記画像サイズ変換手段は、前記回線接続装置が備える前記画像表示手段の表示画面サイズの方が、前記画像入出力装置が備える画像表示手段の表示画面サイズより小さい場合に、前記画像サイズ変換を行うことを特徴とする請求項１記載の画像サイズ変換装置。
【請求項５】
公衆網を介してデータ転送を行う回線接続装置と通信可能な画像入出力装置で実行される画像サイズ変換方法であって、
前記回線接続装置から当該回線接続装置が備える画像表示手段の画像表示能力を示す属性情報を受信する受信工程と、
画像データを前記受信工程で受信した前記属性情報に応じた画像サイズに変換する画像サイズ変換工程と、
前記画像サイズ変換工程で画像サイズ変換された画像データを前記回線接続装置に送信する送信工程とを有することを特徴とする画像サイズ変換方法。
【請求項６】
前記回線接続装置の前記属性情報とは、前記回線接続装置が備える前記画像表示手段の表示画面サイズ、解像度、表示可能画素数を含む情報であることを特徴とする請求項５記載の画像サイズ変換方法。
【請求項７】
前記画像サイズ変換工程では、前記回線接続装置が備える前記画像表示手段の表示画面サイズの方が、前記画像入出力装置が備える画像表示手段の表示画面サイズより小さい場合に、前記画像サイズ変換を行うことを特徴とする請求項５記載の画像サイズ変換方法。
【請求項８】
公衆網を介してデータ転送を行う回線接続装置で実行される画像サイズ変換方法であって、前記回線接続装置と通信可能な画像入出力装置から画像データの画像サイズ等の属性情報を受信し、前記回線接続装置側で前記属性情報に基づき画像サイズ変換を行うことを特徴とする画像サイズ変換方法。
【請求項９】
公衆網を介してデータ転送を行う回線接続装置と通信可能な画像入出力装置の制御方法をコンピュータに実行させるプログラムであって、
前記回線接続装置から当該回線接続装置が備える画像表示手段の画像表示能力を示す属性情報を受信する受信ステップと、
画像データを前記受信ステップで受信した前記属性情報に応じた画像サイズに変換する画像サイズ変換ステップと、
前記画像サイズ変換ステップで画像サイズ変換された画像データを前記回線接続装置に送信する送信ステップとを有することを特徴とするプログラム。
【請求項１０】
前記回線接続装置の前記属性情報とは、前記回線接続装置が備える前記画像表示手段の表示画面サイズ、解像度、表示可能画素数を含む情報であることを特徴とする請求項９記載のプログラム。
【請求項１１】
前記画像サイズ変換ステップでは、前記回線接続装置が備える前記画像表示手段の表示画面サイズの方が、前記画像入出力装置が備える画像表示手段の表示画面サイズより小さい場合に、前記画像サイズ変換を行うことを特徴とする請求項９記載のプログラム。
【請求項１２】
公衆網を介してデータ転送を行う回線接続装置の制御方法をコンピュータに実行させるプログラムであって、前記回線接続装置と通信可能な画像入出力装置から画像データの画像サイズ等の属性情報を受信し、前記回線接続装置側で前記画像入出力装置の代わりに前記属性情報に基づき画像サイズ変換を行うステップを有することを特徴とするプログラム。
【請求項１３】
請求項９から１２のいずれか１項記載のプログラムを記憶したことを特徴とするコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、画像サイズ変換装置、画像サイズ変換方法、プログラム、及び記憶媒体に関する。
【手続補正４】
【補正対象書類名】明細書
【補正対象項目名】０００７
【補正方法】変更
【補正の内容】
【０００７】
本発明は、上述した点に鑑みなされたものであり、回線接続装置の有する画像表示手段の表示能力が一般的に画像入出力装置の画像表示手段の能力より劣ることによる全画像が表示されないという従来のような不都合を解消することを可能とした画像サイズ変換装置、画像サイズ変換方法、プログラム、及び記憶媒体を提供することを第一の目的とする。
【手続補正５】
【補正対象書類名】明細書
【補正対象項目名】０００８
【補正方法】変更
【補正の内容】
【０００８】
また、本発明は、上述した点に鑑みなされたものであり、従来のような全画像を分割表示する等の手法を不要とした画像サイズ変換装置、画像サイズ変換方法、プログラム、及び記憶媒体を提供することを第二の目的とする。
【手続補正６】
【補正対象書類名】明細書
【補正対象項目名】０００９
【補正方法】変更
【補正の内容】
【０００９】
【課題を解決するための手段】
上記目的を達成するため、本発明は、公衆網を介してデータ転送を行う回線接続装置と通信可能な画像サイズ変換装置であって、前記回線接続装置から当該回線接続装置が備える画像表示手段の画像表示能力を示す属性情報を受信する受信手段と、画像データを前記受信手段で受信した前記属性情報に応じた画像サイズに変換する画像サイズ変換手段と、前記画像サイズ変換手段で画像サイズ変換された画像データを前記回線接続装置に送信する送信手段とを有することを特徴とする。
【手続補正７】
【補正対象書類名】明細書
【補正対象項目名】００１０
【補正方法】変更
【補正の内容】
【００１０】
また、本発明は、公衆網を介してデータ転送を行う回線接続装置と通信可能な画像入出力装置で実行される画像サイズ変換方法であって、前記回線接続装置から当該回線接続装置が備える画像表示手段の画像表示能力を示す属性情報を受信する受信工程と、画像データを前記受信工程で受信した前記属性情報に応じた画像サイズに変換する画像サイズ変換工程と、前記画像サイズ変換工程で画像サイズ変換された画像データを前記回線接続装置に送信する送信工程とを有することを特徴とする。
【手続補正８】
【補正対象書類名】明細書
【補正対象項目名】００１１
【補正方法】変更
【補正の内容】
【００１１】
また、本発明は、公衆網を介してデータ転送を行う回線接続装置で実行される画像サイズ変換方法であって、前記回線接続装置と通信可能な画像入出力装置から画像データの画像サイズ等の属性情報を受信し、前記回線接続装置側で前記属性情報に基づき画像サイズ変換を行うことを特徴とする。
【手続補正９】
【補正対象書類名】明細書
【補正対象項目名】００１２
【補正方法】変更
【補正の内容】
【００１２】
また、本発明は、公衆網を介してデータ転送を行う回線接続装置と通信可能な画像入出力装置の制御方法をコンピュータに実行させるプログラムであって、前記回線接続装置から当該回線接続装置が備える画像表示手段の画像表示能力を示す属性情報を受信する受信ステップと、画像データを前記受信ステップで受信した前記属性情報に応じた画像サイズに変換する画像サイズ変換ステップと、前記画像サイズ変換ステップで画像サイズ変換された画像データを前記回線接続装置に送信する送信ステップとを有することを特徴とする。
【手続補正１０】
【補正対象書類名】明細書
【補正対象項目名】００１３
【補正方法】変更
【補正の内容】
【００１３】
また、本発明は、公衆網を介してデータ転送を行う回線接続装置の制御方法をコンピュータに実行させるプログラムであって、前記回線接続装置と通信可能な画像入出力装置から画像データの画像サイズ等の属性情報を受信し、前記回線接続装置側で前記画像入出力装置の代わりに前記属性情報に基づき画像サイズ変換を行うステップを有することを特徴とする。